(57)【要約】    【課題】デジタル放送受信装置を介して行われた通話を視聴できるようにする。    【解決手段】デジタル放送受信装置１は、電話送受信部４１、文字変換部４３、管理データベース（ＤＢ）４８、出力部４９を含む。電話送受信部４１は、電話回線２を介して電話音声を送受信する。音声記録再生部４７は、電話送受信部４１から受信した電話音声を録音する。文字変換部４３は、音声記録再生部４７に録音された音声を文字に変換し、管理ＤＢ４８に記憶する。出力部４９は、管理ＤＢ４８に記憶されている文字などをＯＳＤ表示する映像信号を出力する。【選択図】  図１
2005340971.tif 000002
【特許請求の範囲】
【請求項１】
電話回線を介して通話音声を受信する通話受信部と、
前記通話音声を記録する記録部と、
前記記録された通話音声を文字に変換する変換部と、
前記文字をＯＳＤ表示するための映像信号を出力するＯＳＤ回路と、
文字メッセージの入力を受け付ける文字メッセージ入力部と、
前記電話回線を介して前記通話音声の発信元に前記文字メッセージのデータを送信するモデムと、
を備えることを特徴とするデジタル放送受信装置。
【請求項２】
電話回線を介して通話音声を受信する通話受信部と、
前記通話音声を文字に変換する変換部と、
前記文字を表示するための映像信号を出力する出力部と、
を備えることを特徴とするデジタル放送受信装置。
【請求項３】
前記出力部は、前記文字をＯＳＤ表示するための映像信号を出力するＯＳＤ回路であることを特徴とする請求項２記載のデジタル放送受信装置。
【請求項４】
文字メッセージの入力を受け付ける文字メッセージ入力部と、
前記電話回線を介して前記通話音声の発信元に前記文字メッセージのデータを送信する送信部と、
をさらに備えることを特徴とする請求項２又は３記載のデジタル放送受信装置。
【請求項５】
前記送信部はモデムであることを特徴とする請求項４記載のデジタル放送受信装置。
【請求項６】
前記通話音声を記録する記録部をさらに備えることを特徴とする請求項２〜５のいずれかに記載のデジタル放送受信装置。
【請求項７】
前記変換部は前記記録された通話音声を文字に変換することを特徴とする請求項６記載のデジタル放送受信装置。
【請求項８】
前記記録された通話音声の音声信号を出力する音声出力部をさらに備えることを特徴とする請求項６又は７記載のデジタル放送受信装置。
【請求項９】
デジタル放送受信装置に関する制御設定を前記電話回線を介した通信から受け付ける制御設定受付部をさらに備えることを特徴とする請求項２〜８のいずれかに記載のデジタル放送受信装置。
【請求項１０】
前記制御設定受付部は、前記記録部が前記通話音声を記録するか否かの設定を、前記電話回線を介した通信から受け付け、
前記制御設定受付部が前記通話音声を記録する設定を受け付けた場合、前記記録部は前記通話音声を記録することを特徴とする請求項９記載のデジタル放送受信装置。
【発明の詳細な説明】
【技術分野】
【０００１】
本発明は、電話回線を介した通信機能を有するデジタル放送受信装置に関する。
【背景技術】
【０００２】
従来、放送受信機のモデム機能を利用する技術が様々開発されている。例えば、特許文献１には、電話がかかってきたときにモデム１０７等を介してアンプ１１４に相手の通話音声を出力し、あわせてメッセージや電話使用料金が有料・無料であること等を画面上に表示する放送受信機が開示されている。また、特許文献２には、各番組優先度を登録する番組優先度テーブル、電話機能部１０６により解析・送出された電話番号と氏名を発呼者の優先度とともに登録する個人情報テーブルを作成し、番組視聴中における電話着呼時に個人情報テーブルにある発呼者の優先度と番組優先度テーブルにある番組の優先度とを比較して、電話受信と番組録画制御を行うデジタル放送受信装置が開示されている。また、特許文献３には、ＩＲＤ装置のモデム１１と通信網１４を介して映像及び音声データを送信し、テレビ電話機能を実現する技術が開示されている。
【特許文献１】特開２００１−２８５７３８号公報、段落番号００２９〜００４３、図１
【特許文献２】特開２００１−３３９６４８号公報、段落番号００２３〜００３３、図１、３、４、６
【特許文献３】特開２００２−４４２７３号公報
【発明の開示】
【発明が解決しようとする課題】
【０００３】
ところが、上記の技術では、放送受信機内蔵のモデムへの電話着信を利用して放送受信機で通話、録画予約等を行うことはできるものの、その通話内容をテレビ受像機等で目視することはできない。本発明は、デジタル放送受信装置を介して行われた通話を目視できるようにすることを目的とする。
【課題を解決するための手段】
【０００４】
請求項１記載の発明は、電話回線を介して通話音声を受信する通話受信部と、前記通話音声を記録する記録部と、前記記録された通話音声を文字に変換する変換部と、前記文字をＯＳＤ表示するための映像信号を出力するＯＳＤ回路と、文字メッセージの入力を受け付ける文字メッセージ入力部と、前記電話回線を介して前記通話音声の発信元に前記文字メッセージのデータを送信するモデムと、  を備えることを特徴とするデジタル放送受信装置である。
【０００５】
この発明によると、録音された通話内容をＯＳＤ表示により文字で確認できる。即ち、テレビ画面で録音内容を確認でき、いちいち録音内容を再生する手間が省け便利である。また、この文字はＯＳＤ表示されるため、放送番組を視聴しながら見ることも可能である。さらに、この録音を残した発信元に文字メッセージを送信でき、電話をかけ直して返答する手間も省ける。
【０００６】
請求項２記載の発明は、電話回線を介して通話音声を受信する通話受信部と、前記通話音声を文字に変換する変換部と、前記文字を表示するための映像信号を出力する出力部と、を備えることを特徴とするデジタル放送受信装置である。
【０００７】
この発明では、通話受信部が受信した通話音声を変換部が文字に変換し、出力部がこの文字をテレビ受像機等の映像表示装置に表示するための映像信号を出力する。ここで、通話受信部は、例えば公知のコードレス電話親機で構成可能である。また、変換部は、例え
ば公知の音声認識ソフトウェアである。また、出力部とは、例えば公知のＯＳＤ（オンスクリーンディスプレイ）回路である。この発明によると、デジタル放送受信装置のユーザは通話内容をテレビ受像機等を通じて文字で確認することができる。
【０００８】
請求項３記載の発明は、前記出力部は、前記文字をＯＳＤ表示するための映像信号を出力するＯＳＤ回路であることを特徴とする請求項２記載のデジタル放送受信装置である。
【０００９】
この発明によると、ＯＳＤ回路を用いて出力部を簡易に構成でき、また放送番組を視聴しながらＯＳＤ表示で通話内容を確認することができる。
【００１０】
請求項４記載の発明は、文字メッセージの入力を受け付ける文字メッセージ入力部と、前記電話回線を介して前記通話音声の発信元に前記文字メッセージのデータを送信する送信部と、をさらに備えることを特徴とする請求項２又は３記載のデジタル放送受信装置である。
【００１１】
送信部は、例えばデジタル放送受信装置に内蔵のモデムにより構成可能である。この発明によると、通話した相手に文字メッセージを送信できる。特に、ユーザが不在の場合に伝言を残した相手に文字メッセージを送ることもできる。
【００１２】
請求項５記載の発明は、前記送信部はモデムであることを特徴とする請求項４記載のデジタル放送受信装置である。
【００１３】
この発明によると、放送局側でのペイパービュー（ＰＰＶ）処理に必要な番組視聴履歴情報等を送信するモデムを用いて簡易に送信部を構成できる。
【００１４】
請求項６記載の発明は、前記通話音声を記録する記録部をさらに備えることを特徴とする請求項２〜５のいずれかに記載のデジタル放送受信装置である。
【００１５】
この発明によると、デジタル放送受信装置により通話内容を記録でき、ユーザが不在の場合に伝言を録音するいわゆる留守番電話としても活用できる。記録された通話音声の音声信号をテレビ受像機や各種オーディオ機器に出力するようにしてもよい。
【００１６】
請求項７記載の発明は、前記変換部は前記記録された通話音声を文字に変換することを特徴とする請求項６記載のデジタル放送受信装置である。
【００１７】
この発明によると、録音音声が文字化されるため、録音された伝言内容をテレビ受像機等で見ることが可能である。
【００１８】
請求項８記載の発明は、前記記録された通話音声の音声信号を出力する音声出力部をさらに備えることを特徴とする請求項６又は７記載のデジタル放送受信装置である。
【００１９】
この発明によると、録音された音声をテレビ受像機や各種オーディオ機器により聞くことができる。録音音声を文字化したＯＳＤ表示と録音音声の出力とを同時に行うことで文字と音声を同時視聴できるようにしてもよい。
【００２０】
請求項９記載の発明は、デジタル放送受信装置に関する制御設定を前記電話回線を介した通信から受け付ける制御設定受付部をさらに備えることを特徴とする請求項２〜８のいずれかに記載のデジタル放送受信装置である。
【００２１】
デジタル放送受信装置に関する制御設定とは、チャンネル選局、受信装置の電源オン・オフあるいは電源オン・オフ時刻設定などデジタル放送受信装置の動作・機能に関する制御や設定の他、デジタル放送受信装置に接続されたＤＶＤレコーダなどの記録再生装置の録画開始など、デジタル放送受信装置に関連して動作する各種機器の動作・機能に関する制御や設定も含む。この発明によると、デジタル放送受信装置等の動作・機能に関する制御や設定を電話回線を通じて行うことができる。
【００２２】
請求項１０記載の発明は、前記制御設定受付部は、前記記録部が前記通話音声を記録するか否かの設定を、前記電話回線を介した通信から受け付け、前記制御設定受付部が前記
通話音声を記録する設定を受け付けた場合、前記記録部は前記通話音声を記録することを特徴とする請求項９記載のデジタル放送受信装置である。
【００２３】
この発明によると、例えば外部の公衆電話などからデジタル放送受信装置に対し呼び出し音を所定回数発信したり、あるいは外部の公衆電話などからデジタル放送受信装置に電話をかけて通話中に特定の単語（例えば「留守録設定」など）を発声したり、あるいは所定のプッシュボタンを押すなどして、記録部に対し通話内容を録音するよう設定することができる。そして、録音する設定が受け付けられた場合にのみ通話内容が録音されるため、必要に応じた録音が可能である。
【発明の効果】
【００２４】
この発明によると、デジタル放送受信装置が受信した通話音声が文字に変換されてテレビ受像機等の映像表示装置に出力される。従って、デジタル放送受信装置のユーザはテレビ受像機等を通じて通話内容を文字で確認することができる。
【発明を実施するための最良の形態】
【００２５】
＜第１実施形態＞
（１）概略構成
図１は、本発明の第１実施形態に係るデジタル放送受信装置１のブロック構成図である。デジタル放送受信装置１は、チューナ１１、復調部及び誤り訂正部（ＦＥＣ）１２、デスクランブラ１３、デマルチプレクサ（ＤＥＭＵＸ）１４、音声デコーダ１５、映像デコーダ１６、信号変換回路１７、及び制御部１８を備えている。チューナ１１は、アンテナ１０から放送局（図示せず）の送出した放送信号を受信する。復調部及びＦＥＣ１２は、受信した信号の復調及び誤りの訂正処理を行う。ＤＥＭＵＸ１４は、音声データや映像データ及び番組情報等が多重化されている放送信号から各データを分離抽出する。デスクランブラ１３は、復調された放送信号に付加されている不正視聴防止用のスクランブル信号を解除する。音声デコーダ１５は、デジタル圧縮された音声データをアナログ信号にデコードし、ＤＶＤレコーダ、ハードディスクビデオレコーダ、ＶＣＲ等の記録再生装置５や各種オーディオ機器に出力する。映像デコーダ１６は、デジタル圧縮された映像データを展開してＲＧＢ信号にデコードする。信号変換回路１７は、ＲＧＢ信号を例えばコンポジットビデオ信号にダウンコンバートし、記録再生装置５やテレビ受像機等に出力する。制御部１８は、リモコン等の操作部３からのチャンネル選局操作に基づき、チューナ１１にチャンネルの周波数を設定する。制御部１８は、マイコンなどにより構成可能である。
【００２６】
デジタル放送受信装置１は、電話通信部４をさらに備えている。電話通信部４は、電話送受信部４１、検知部４２、文字変換部４３、データ送信部４４、文字メッセージ送信部４５、音声記録再生部４７、管理データベース（ＤＢ）４８及び出力部４９を有する。なお、電話通信部４の電話送受信部４１、検知部４２、文字変換部４３、データ送信部４４、文字メッセージ送信部４５、音声記録再生部４７、管理データベース（ＤＢ）４８及び出力部４９は各々制御部１８と接続されており、制御部１８の制御に基づいて動作可能である。
【００２７】
電話送受信部４１は、電話回線２を介して電話音声を送受信する機能を有し、例えば既存のコードレス電話の親機により構成可能である。こうすれば、受信装置１に子機を添付することで受信装置１に電話機能を持たせることもできる。検知部４２は、受信した電話音声から所定の語彙、単語、節、文あるいはプッシュトーンを検知する。この検知すべき所定の語彙等あるいはプッシュトーンを示す音声信号の波形は管理ＤＢ４８に記憶されており、検知部４２により参照される。文字変換部４３は、音声記録再生部４７に記憶された音声を文字に変換し、管理ＤＢ４８に記憶する。検知部４２及び文字変換部４３は、既存の音声認識ソフトウェアなどにより実現可能である。文字メッセージ送信部４５は、操作部３等の操作による文字メッセージの入力を受け付け、これを所定の送信先に送信する
。この送信先とは、本実施形態では電子メールアドレスとするが、文字データを送信可能な宛先であればこれに限られない。データ送信部４４は、文字メッセージ送信部４５が送信する文字データを電話回線２に送出する他、放送局側でのペイパービュー（ＰＰＶ）処理に必要な番組視聴履歴情報を送信する。データ送信部４４は、例えば既存のセットトップボックスに内蔵されるモデムにより構成可能である。データ送信部４４はさらにファックス通信データなどを送受信できるように構成してもよい。管理ＤＢ４８は、メモリあるいはハードディスク等の記憶媒体で構成されており、入力された文字メッセージや番組視聴履歴情報などを記憶する。音声記録再生部４７は、電話送受信部４１から受信した電話音声を録音する。この録音を行わせる設定（以下、留守録設定）は、操作部３等の操作により行うことができる。また音声記録再生部４７は、録音した音声の音声信号をデジタル放送受信装置１に接続された記録再生装置５やテレビ（図示せず）等に出力してスピーカ等で再生させる。音声記録再生部４７は、既存の留守番電話機能などを用いて構成可能である。出力部４９は、管理ＤＢ４８に記憶される電話送受信部４１への着信の履歴を一覧表示する映像信号を信号変換回路１７に出力する。出力部４９は、例えば公知のＯＳＤ回路により構成可能である。
【００２８】
なお、このデジタル放送受信装置１の構成は一例であり、その他の機能、例えばＤＥＭＵＸ１４から分離された番組情報から電子番組案内データを作成する機能などを有していてもよい。あるいは、デジタル放送受信装置１は記録再生装置５を内蔵してもよい。
【００２９】
（２）機能構成
（２−１）管理ＤＢ
次に、管理ＤＢ４８の記憶する情報を詳細に説明する。図２に示すように、管理ＤＢ４８は、伝言管理情報記憶部４０１、メッセージ送信管理情報記憶部４０２、及びリモート制御情報記憶部４０３を有しており、伝言管理情報記憶部４０１、メッセージ送信管理情報記憶部４０２、及びリモート制御情報記憶部４０３はそれぞれ伝言管理情報、メッセージ送信管理情報、及びリモート制御情報を記憶する。
【００３０】
図３は、伝言管理情報の内容を概念的に示している。伝言管理情報には、電話送受信部４１へ電話着信があった場合、発信元（発呼側）の電話番号を示す「発信者番号」、電話着信の日時を示す「着信日時」、及び着信後の通話内容を文字変換部４３が文字に変換した「伝言内容」が含まれる。なお、上述のようにデータ送信部４４がファックス通信データを受信できる場合、このデータを文字変換部４３が文字に変換して「伝言内容」に記憶してもよい。
【００３１】
図４は、メッセージ送信管理情報の内容を概念的に示している。メッセージ送信管理情報は、発信者番号と、この発信者番号で電話発信した者（以下、発信者）が保有する電子メールアドレスとを対応させる。以下、説明の簡略のため、発信者は管理ＤＢ４８において発信者番号により一意に識別可能であるとし、この両者を同一のものとして扱う。
【００３２】
図５は、リモート制御情報の内容を概念的に示している。リモート制御情報は、着信時あるいは着信後の通話において受信装置１を制御するための呼び出し回数、トーン操作及び発声の内容を示す「制御操作」と、「制御操作」の内容に応じて制御部１８が行うべき制御の内容を示す「制御内容」とを対応させる。ここでは説明の簡略のため、「制御操作」の内容としては、呼び出し音が鳴らされた回数を「１５回」等、発信者が押下した電話機の数字ボタンを「＃１」等、また通話における発信者の発話内容を「説明」等で示しているが、実際には数字ボタンに対応するプッシュトーンや呼び出し音・発話内容に対応する音声信号の波形がリモート制御情報の「制御操作」に記憶され、検知部４２がこれを参照する。なお、リモート制御情報には、電話の発信元を識別するためのパスワード等を含めてもよい。
【００３３】
（２−２）表示部
次に、出力部４９の機能について説明する。出力部４９は、管理ＤＢ４８に記憶されている伝言管理情報に基づき、図６に示すような着信一覧画面をＯＳＤ表示させるための映像信号を信号変換回路１７に出力する。着信一覧画面は、電話送受信部４１への電話着信の履歴を示す伝言管理情報を一覧表示する。着信一覧画面では、文字メッセージの送信先となる発信者を指定できる。図６を参照すると、一覧１０１には、伝言管理情報（図３）に基づき過去の着信履歴が一覧表示される。一覧１０１の左側には矢印形のカーソル１００が表示されている。カーソル１００は操作部３の操作により一覧１０１又はボタン１０２ａ、ｂの側部に移動させることができ、これにより送信先となる発信者やボタン１０２を指定することができる。ここでは、発信者番号「０６−１５５５−４０００」で識別される発信者を指定しており、この指定はマーク１０３で表されている。発信者の指定後、カーソル１００をさらに移動させてボタン１０２ａを選択すると、後述の返信メッセージ作成画面（図７参照）が表示される。なお、発信者の指定後カーソル１００によりボタン１０２ｂを選択すると、制御部１８の制御により指定された発信者の発話内容が音声信号として音声記録再生部４７から再生される。図６に示すように着信履歴を一覧表示すれば、特に着信件数が多い場合は文字を見て伝言内容を確認できるため、いちいち録音内容を再生する手間も省け便利である。また、この一覧はＯＳＤ表示であるため、放送番組を視聴しながら見ることが可能である。
【００３４】
（２−３）文字メッセージ送信部
次に、文字メッセージ送信部４５の機能について説明する。文字メッセージ送信部４５は、図７に示す返信メッセージ作成画面を表示する。図７を参照すると、返信メッセージ作成画面には送信先となる電子メールアドレス１０６が自動的に表示される。この電子メールアドレス１０６は、着信一覧画面（図６）で指定した発信者に対応するものであり、前述のようにメッセージ送信管理情報（図４）に記憶されている。ここでは、発信者番号「０６−１５５５−４０００」に対応する電子メールアドレス１０６「ａｂｃ＠ｘｘｘ．ｃｏｍ」が表示されている。送信すべき文字メッセージは、操作部３を操作することで入力欄１０４に入力できる。文字入力の終了後、カーソル１００を操作部３により移動させてボタン１０２ｃを選択すると、文字メッセージ送信部４５は、入力された文字メッセージを電子メールアドレス１０６で指定される送信先にデータ送信部４４及び電話回線２を介して送信する。なお、文字メッセージ作成の便宜のため、返信メッセージ作成画面の入力欄１０４やその他の部分に着信一覧画面で指定した発信者の伝言内容が表示されるようにしてもよい。なお、ボタン１０２ｄを選択すると、文字メッセージの入力をキャンセルして着信一覧画面に戻る。
【００３５】
（２−４）制御部
制御部１８は、検知部４２が検知した呼び出し回数、プッシュトーンあるいは発話内容に応じ、記録再生装置５、チューナ１１、音声記録再生部４７などを制御する着信時処理を行う。以下、図８のフローチャートに基づき着信時処理の流れを説明する。
【００３６】
ステップ（以下、Ｓ）１：制御部１８は、電話送受信部４１に着信があったか否かを判断する。着信があった場合はＳ２に移行し、着信がない場合は着信を待機する。
【００３７】
Ｓ２：制御部１８は、検知部４２がリモート制御情報（図５）に基づいて着信から制御内容を検知したか否かを判断する。検知した場合はＳ５に移行し、検知しなかった場合はＳ３に移行する。
【００３８】
Ｓ３：制御部１８は、音声記録再生部４７に留守録設定がされているか否かを判断する。設定されている場合はＳ４に移行し、設定されていない場合はＳ１に戻る。
【００３９】
Ｓ４：制御部１８は、音声記録再生部４７を制御して通話内容を録音させ、Ｓ１に戻る。なお、この録音は通話が終了するまで行われる。
【００４０】
Ｓ５：制御部１８は、検知された操作制御内容に基づき、記録再生装置５、チューナ１
１、音声記録再生部４７などを制御する。例えば、図５のリモート制御情報を参照すると、呼び出しを連続１５回続けたことを示す制御操作「１５回」を検知部４２が検知した場合、制御部１８はこれに対応する制御内容「録画開始」に基づいて現在チューナ１１が受信しているチャンネルの録画を開始するよう記録再生装置５を制御する。あるいは、図示しない電話機の数字ボタン１を押下したことを示す制御操作「＃１」を検知部４２が検知した場合、制御部１８はこれに対応する制御内容「留守録設定」に基づいて音声記録再生部５に留守録設定を行う。あるいは、通話内容に「変更」という音声が含まれていることを検知部４２が検知した場合、制御部１８はこれに対応する制御内容「チャンネル変更」に基づいてチューナ１０に昇順、降順等で受信チャンネルを変更する。なお、図５に示したリモート制御情報やこれに基づく制御は一例であり、その他の制御操作及び制御内容を含めてもよい。例えば、制御操作として通話内容に「電源オフ」という音声が含まれている場合、制御部１８はこれに応じて受信装置１の電源をオフにしてもよい。
【００４１】
（３）本実施形態に係る放送受信装置の特徴
文字変換部４３は、音声記録再生部４７に録音された音声を文字に変換して管理ＤＢ４８に記憶し、記憶された文字はＯＳＤ表示される着信一覧画面（図６）で参照できるから、録音された伝言をテレビ画面で放送番組視聴と同時に文字として見ることができる。また、文字メッセージ送信部４５により発信者を着信一覧画面で指定し、この発信者の有する電子メールアドレスに文字メッセージを送信できるため、録音された伝言に対し文字メッセージで返答できる。また、音声記録再生部４７の留守録設定、チューナ１１のチャンネル変更、記録再生装置５の録画開始は、着信時における呼び出し回数、通話の発話内容、プッシュトーンにより制御することができる。即ち、受信装置１を電話で遠隔操作できる。また、音声記録再生部４７は録音された音声を受信装置１に接続されたテレビ等に出力するから、テレビ等で伝言を聞くことができる。さらに、受信装置１は電話機能を有する電話送受信部４１を有するから、電話回線２を受信装置１とは別個の電話機に分配しなくとも電話を使用でき、配線の手間も省ける。
【００４２】
＜その他の実施形態＞
図７の返信メッセージ作成画面で入力された文字メッセージの代わりに、この文字メッセージを通話音声信号に変換して電話送受信部４１から送信してもよい。あるいは、文字メッセージをファックス送信データに変換してデータ送信部４４から送信するようにしてもよい。あるいは、電話送受信部４１と無線接続されたコードレス電話子機から音声信号を文字変換部４３に入力し、この音声信号を文字に変換したものを文字メッセージ送信部４５が送信するようにしてもよい。
【図面の簡単な説明】
【００４３】
【図１】本発明の第１実施形態に係るデジタル放送受信装置のブロック構成図。
【図２】管理ＤＢに記憶される情報の概念説明図。
【図３】伝言管理情報の概念説明図。
【図４】メッセージ送信管理情報の概念説明図。
【図５】リモート制御情報の概念説明図。
【図６】着信一覧画面の表示例。
【図７】返信メッセージ作成画面の表示例。
【図８】着信時処理の流れを示すフローチャート。
【符号の説明】
【００４４】
４１：電話送受信部
４３：文字変換部
４４：データ送信部
４５：文字メッセージ送信部
４８：管理ＤＢ
４９：出力部
【図１】
2005340971.tif 000003
【図２】
2005340971.tif 000004
【図３】
2005340971.tif 000005
【図４】
2005340971.tif 000006
【図５】
2005340971.tif 000007
【図６】
2005340971.tif 000008
【図７】
2005340971.tif 000009
【図８】
2005340971.tif 000010